(57)【要約】【課題】例えば遊技部品を組立てる際に歯車収納体を組付ける場合、ねじ締結部をねじで締結すると締結力で歯車収納体がずれて、出力側歯車と軸側の歯車との間に適正なバックラッシュが設けられた状態に組付けられない。【解決手段】一方の遊技部品構成体（軸保持体３００）の上に他方の遊技部品構成体（６００）を搭載し、他方の遊技部品構成体に設けられた孔（取付孔６０４）と一方の遊技部品構成体に設けられた孔（螺着孔６０３）とを介してねじを締結する３つ以上のねじ締結部により一方の遊技部品構成体と他方の遊技部品構成体とを組み合わせる場合、ねじ締結部のうち少なくとも１つのねじ締結部を除いた２つ以上の他のねじ締結部の孔に位置決め棒６を挿入した状態で上記少なくとも１つのねじ締結部をねじで締結した後に上記２つ以上の他のねじ締結部の孔より位置決め棒を１本ずつ抜いていって位置決め棒を抜いたねじ締結部にねじで締結していく。【選択図】　　　　図５
2004081322.tif 000002
【特許請求の範囲】
【請求項１】
一方の遊技部品構成体の上に他方の遊技部品構成体を搭載し、他方の遊技部品構成体に設けられた孔と一方の遊技部品構成体に設けられた孔とを介してねじを締結する３つ以上のねじ締結部により一方の遊技部品構成体と他方の遊技部品構成体とを互いに１つのまとまりに組み合わせる遊技部品の組立方法において、ねじ締結部のうち少なくとも１つのねじ締結部を除いた２つ以上の他のねじ締結部の孔に位置決め棒を挿入した状態で上記少なくとも１つのねじ締結部をねじで締結した後に上記２つ以上の他のねじ締結部の孔より位置決め棒を１本ずつ抜いていって位置決め棒を抜いたねじ締結部にねじで締結していくことを特徴とする遊技部品の組立方法。
【請求項２】
他方の遊技部品構成体はモータによる回転力を伝達する歯車収納体であり、一方の遊技部品構成体に軸受部を介して組付けられる軸に設けられた歯車と歯車収納体に収納された歯車とが噛み合うように歯車収納体と一方の遊技部品構成体とをねじで締結することを特徴とする請求項１に記載の遊技部品の組立方法。
【発明の詳細な説明】
【０００１】
【発明の属する技術分野】
本発明は、複数の遊技部品構成体を組み合せて成る遊技部品の組立方法に関する。
【０００２】
【従来の技術】
図６はパチンコ機用遊技部品としての可変入賞装置１００を示す斜視図、図７は可変入賞装置１００の簡略正面図である。この可変入賞装置１００は、取付ベース１０１を介して図示しない遊技盤に取付けられるものであり、センター役物とも呼ばれる。遊技盤に設けられた図示しない始動口に球が入賞すると、図示しない制御装置が可変入賞装置１００の左右一対の羽根１０２，１０２を開閉し、球が上部入口１０３を介して可変入賞装置１００の内部に導入され得る状態になる。１０４は球カウントゲート１０５を介して落下してきた球を可変入賞装置１００の内部奥側に導く傾斜板である。球カウントゲート１０５は内部に球検出器を備えたゲートであり、羽根１０２，１０２に対応して左右一対で設けられている。傾斜板１０４の奥側には周面下方に複数の開口１０６を有する円筒状回転体１０７が設けられ、この円筒状回転体１０７の左右両側の位置には球貯留装置１０８が設けられ、また、傾斜板１０４の左右側方位置には傘状回転体１０９が設けられている。上記円筒状回転体１０７、球貯留装置１０８、傘状回転体１０９の駆動制御態様としては種々有り得る。例えば、制御装置により、通常は、円筒状回転体１０７及び傘状回転体１０９を単純に回転させるようにしておいてもよいし、所定周期で回転・停止を繰り返すようにしておいてもよい。球が始動口に入賞して羽根１０２，１０２が開閉すると、球は球カウントゲート１０５及び傾斜板１０４を介して円筒状回転体１０７の開口１０６に入る可能性があり、この場合、球は特定入賞誘導路１１０に落下し、特定入賞部１１１に入賞する可能性が高くなる。また、円筒状回転体１０７の開口１０６に入らなかった球は円筒状回転体１０７の左右側の落下口１１２に導かれて下部傾斜板１１３上に落下するが、この場合、特定入賞部１１１に入賞する可能性は低い。球が特定入賞部１１１に入賞したら特別遊技状態となり、制御装置は、例えば、羽根１０２，１０２を頻繁に開閉させるとともに、傘状回転体１０９の傘部１１９（図９参照）が傾斜板１０４の中央方向に突出するような状態に傘状回転体１０９を停止させる。また、開口１０６が図７に示すような正面に位置する状態に円筒状回転体１０７を停止させる。また、球貯留装置１０８を駆動して落下口１１２を塞ぐようにして球を傾斜板１０４上に貯留できるようにする。以上により、球カウントゲート１０５を介して傾斜板１０４上に落下する球は傘状回転体１０９の傘部１１９の外周面１１８（図９参照）にガイドされて円筒状回転体１０７の開口１０６に導かれる可能性が高くなり、また、開口１０６に入らなくても球貯留装置１０８により傾斜板１０４に球が貯留され、この貯留された球群により開口１０６への誘導路が形成されることで後続の球を円筒状回転体１０７の開口１０６に導く可能性が高くなる。また、特別遊技状態の終了時点で球貯留装置１０８を解除した時は、傾斜板１０４上に貯留されていた複数の球が連続して下部傾斜板１１３上に落下するため、後に落下した球が特定入賞部１１１に入賞する可能性がある。以上説明した遊技部品としての可変入賞装置１００は、特開２００１−３３４０３５に開示されている。
【０００３】
図６に示すように、可変入賞装置１００は、複数の遊技部品構成体が組み合わされて成る。この可変入賞装置１００の組立は、まず、図８に示すように、複数の遊技部品構成体が組み合わされて成る組合せ体２００を組立てて、この組合せ体２００の裏側にさらに遊技部品構成体としての軸保持体３００を２つのねじ締結部２０１，２０１を介してねじ２０２，２０２により取付ける。ねじ締結部２０１は、組合せ体２００に設けられた取付ボス２０３に形成された螺着孔２０４（結合部）と螺着孔２０４に対応するよう軸保持体３００に設けられた取付孔２０５（結合部）とにより構成される。図８，９に示すように、組合せ体２００の取付ベース体２１０には、羽根１０２の軸１２０の羽根側を支持する軸受部１２１及び傘状回転体１０９の軸１３０の傘状回転体側を支持する軸受部１３１が設けられており、また、軸保持体３００には、羽根１０２の軸１２０の駆動源側を支持する軸受部３０１及び傘状回転体１０９の軸１３０の駆動源側を支持する軸受部３０２が設けられている。しかして、組合せ体２００の軸受部１３１の軸受孔を介して軸１３０を挿入し、かつこの軸１３０の駆動源側を軸保持体３００の軸受部３０２の軸受孔に挿入した状態で軸保持体３００を組合せ体２００に取付ける。その後に、図１０に示すように、羽根１０２の軸１２０を軸受部１２１，３０１の軸受孔を介して組付け、この軸１２０の駆動源側にリンク軸１２５を組付け、また、傘状回転体１０９の軸１３０の駆動源側に従動歯車１４０を組付けて成る組合せ体４００に、ソレノイド５０１を備えた羽根駆動構成体５００とステップモータ１６０の回転力を傘状回転体１０９に伝達するための歯車列１５０が収納される歯車収納体６００とを取付ける。羽根駆動構成体５００は、ソレノイド５０１の作動軸５０２が連結されたアーム５０３の一端５０４側が支点軸５０５に組付けられ、アーム５０３の他端５０６側がリンク軸１２５に組付けられる。これにより、ソレノイド５０１の作動軸５０２が上下に動くとアーム５０３が支点軸５０５を中心として上下に動き、これに伴ってリンク軸１２５も上下に回動することで軸１２０が所定角度回転して羽根１０２が開閉動作を行う。歯車収納体６００は３つのねじ締結部６０１を介して３つのねじ６０５，６０５，６０５により軸保持体３００に取付けられる。これにより、歯車収納体６００に収納された歯車列１５０の出力側の従動歯車１５１と傘状回転体１０９の軸１３０に設けられた従動歯車１４０とが噛み合う状態に組付けられる。ねじ締結部６０１は、軸保持体３００に設けられた取付ボス６０２に形成された螺着孔６０３と螺着孔６０３に対応するよう歯車収納体６００に設けられた取付孔６０４とにより構成される。歯車収納体６００は歯車取付ベース６１０と歯車取付カバー６１１とで複数の歯車１５１，１５１，１５２，１５３を回転可能に支持して成るものである。そして、駆動歯車１５３にステップモータ１６０の軸が連結され、ステップモータ１６０により回転する駆動歯車１５３の回転を従動歯車１５２，１５１，１５１，１４０，１４０を介して傘状回転体１０９，１０９に伝達して傘状回転体１０９，１０９を所定角度回転させる。組付けられた羽根駆動構成体５００や歯車収納体６００の裏側にはカバー７００（図６参照）、その他必要な部品等が取付けられて可変入賞装置１００の組立が完了する。
【０００４】
【発明が解決しようとする課題】
例えば、軸保持体３００に歯車収納体６００を組付ける場合、歯車収納体６００に組付けられた出力側歯車１５１と軸１３０側の歯車１４０との間は適正なバックラッシュが設けられて噛み合う状態に組付けなくてはならない。しかし、ねじ締結部６０１をねじ６０５で締結すると締結力で歯車収納体６００がずれて、出力側歯車１５１と軸１３０側の歯車１４０との間に適正なバックラッシュが設けられた状態に組付けられない。これは、取付孔６０４の孔径は螺着孔６０３の孔径やねじ６０５の径より大きく形成されていて取付孔６０４の内面とねじ６０５と間に隙間が生じるため、ねじ６０５を締め付けるとねじの締結方向（時計回り）に歯車収納体６００が回転したりして歯車収納体６００が位置ずれするためである。従って、歯車の回転がスムーズにならず、可動体としての傘状回転体１０９の動きが悪くなる。
また、組合せ体２００に軸保持体３００を取付ける場合、組合せ体２００の軸受部の軸受孔の中心と軸保持体３００の軸受部の軸受孔の中心とが同一軸上で一致するように両者をねじ止めする必要があるが、この場合も、上記と同様に、ねじ２０２を締め付けるとねじの締結方向（時計回り）に軸保持体３００が回転したりして軸保持体３００が位置ずれして、組合せ体２００の軸受部の軸受孔の中心と軸保持体３００の軸受部の軸受孔の中心とがずれた状態に軸保持体３００が取付けられるので、軸１２０，１３０の回転がスムーズにならず、可動体としての羽根１０２や傘状回転体１０９の動きが悪くなる。
【０００５】
【課題を解決するための手段】
本発明の遊技部品の組立方法は、一方の遊技部品構成体の上に他方の遊技部品構成体を搭載し、他方の遊技部品構成体に設けられた孔と一方の遊技部品構成体に設けられた孔とを介してねじを締結する３つ以上のねじ締結部により一方の遊技部品構成体と他方の遊技部品構成体とを互いに１つのまとまりに組み合わせる遊技部品の組立方法において、ねじ締結部のうち少なくとも１つのねじ締結部を除いた２つ以上の他のねじ締結部の孔に位置決め棒を挿入した状態で上記少なくとも１つのねじ締結部をねじで締結した後に上記２つ以上の他のねじ締結部の孔より位置決め棒を１本ずつ抜いていって位置決め棒を抜いたねじ締結部にねじで締結していくことによって、ねじを締め付けたときに他方の遊技部品構成体が位置ずれするのを防止する。
また、他方の遊技部品構成体はモータによる回転力を伝達する歯車収納体であり、一方の遊技部品構成体に軸受部を介して組付けられる軸に設けられた歯車と歯車収納体に収納された歯車とが噛み合うように歯車収納体と一方の遊技部品構成体とをねじで締結することにより、歯車間に適正なバックラッシュが設けられた状態に歯車収納体を正確に組付けることができる。
【０００６】
【発明の実施の形態】
図１〜図５に基いて本発明の実施形態を説明する。尚、図６〜１０の従来例と同一又は相当部分は同一符号を付して詳説を省略する。図１は可変入賞装置１００の組立装置を示す斜視図であり、この組立装置１は、基部２上に、組合せ体２００を位置決め固定する第１位置決め固定部３と、第１位置決め固定部３で位置決めされた組合せ体２００の上に搭載される軸保持体３００に設けられた軸受部の軸受孔３０１ａ，３０２ａの中心と組合せ体２００に設けられた軸受部の軸受孔１２１ａ，１３１ａの中心とが同一軸上で一致する状態に軸保持体３００を左右両側から挟み込んで位置決め固定する第２位置決め固定部４，４とを備える。第１位置決め固定部３は、組合せ体２００の表側（即ち、可変入賞装置１００の表側）の外周形状に対応した壁３１で組合せ体２００の表側の外周を規制して組合せ体２００を位置決め固定できるようなものであればよい。第２位置決め固定部４は、基部２上に設けられたレール４１とこのレール４１を介して第１位置決め固定部３の方向及びその反対方向に移動可能となった移動体４２とから成るスライド機構４３と、ロック棒４４を移動体４２の翼４５に設けられた孔及び基部２に設けられたロック部材４６の孔４７に挿入することにより移動体４２をロックするロック機構４８と、レール４１における第１位置決め固定部３とは反対側に設けられて移動体４２のレール４１からの脱落を防止する脱落規制部４９とを備える。移動体４２の上部板５０における第１位置決め固定部３側には、軸保持体３００の三方の側壁３５１，３５２，３５３を挟み込む挟み部材５１，５２，５３から成る挟み部５５が設けられている。
従って、まず、図２（ａ）のように第１位置決め固定部３に組合せ体２００を固定し、その上に軸保持体３００を載せる。次に図２（ｂ）のように左右の移動体４２，４２を第１位置決め固定部３の方向に移動させ、図３（ａ）のように挟み部５５，５５で軸保持体３００の四方の側壁３５１，３５２，３５３，３５２を囲むように挟み込んだ状態で、ロック機構４８，４８により移動体４２，４２をロックする。これにより、軸保持体３００に設けられた軸受孔３０１ａ，３０２ａの中心と組合せ体２００に設けられた軸受孔１２１ａ，１３１ａの中心とが同一軸上で一致する状態に軸保持体３００を位置決め固定できる（図３（ｂ）参照）。この状態で、ねじ２０２をねじ締結部２０１に締結すれば、軸保持体３００の四方の側壁３５１，３５２，３５３，３５２は挟み部５５，５５により固定されているので、軸保持体３００がねじの締結方向（時計回り）に回転したりして位置ずれすることがない。従って、軸保持体３００の軸受孔の中心と組合せ体２００の軸受孔の中心とがずれることなく軸保持体３００を取付けることができ、よって、軸１２０，１３０の回転がスムーズとなり、可動体としての羽根１０２や傘状回転体１０９の動きがスムーズとなる可変入賞装置１００が得られる。尚、最初に、組合せ体２００を第１位置決め固定部３に固定し、その上に軸保持体３００を搭載した状態において、軸受孔１３１ａ，３０２ａに軸１３０を挿通しておくようにして、移動体４２，４２をロックした状態で、各軸受孔が同一軸上で一致する状態を確認してから、その状態で挟み部材５１，５２，５３の位置を調整ねじ６０及び調整孔６１を介して調整して挟み部材５１，５２，５３が側壁３５１，３５２，３５３に当接する状態に固定しておく。挟み部材５１，５２，５３は位置を調整ねじ６０及び調整孔６１を介して調整できるようになっているので、軸保持体３００の多少の外径寸法変更に対応できる。
【０００７】
次に、図４に示すように、軸１３０に従動歯車１４０を組付けて、その後、従動歯車１４０と出力側歯車１５１とが噛み合うように歯車収納体６００（他方の遊技部品構成体）を軸保持体３００（一方の遊技部品構成体）の上に搭載する。尚、軸１３０は軸保持体３００を組付ける前に組合せ体２００に組み込んでおいてもよいし、軸保持体３００を取付けた後に、一旦、組立装置１から外して組み込むようにしてもよい。そして、歯車収納体６００と軸保持体３００とを３つのねじ締結部６０１，６０１，６０１を介して組付けるが、この際、この３つのねじ締結部６０１，６０１，６０１のうち２つのねじ締結部６０１，６０１の取付孔６０４，６０４と螺着孔６０３，６０３に図５に示すような位置決め棒６を挿入してから、位置決め棒６が挿入されていないねじ締結部６０１をねじ６０５で締結する。このとき、ねじ６０５を締結するねじ締結部６０１の周囲にある２つのねじ締結部６０１，６０１が位置決め棒６，６により固定されているので、歯車収納体６００がねじの締結方向（時計回り）に回転したりすることがない。次に、位置決め棒６，６のうちの１本を引き抜いたねじ締結部６０１にねじ６０５を締結する。この場合も、ねじ６０５を締結するねじ締結部６０１の周囲にある２つのねじ締結部６０１，６０１の１つには位置決め棒６が挿入されて固定されており、もう１つのねじ締結部６０１にはすでにねじ６０５が締結されて固定されているので、歯車収納体６００がねじの締結方向（時計回り）に回転したりすることがない。そして、最後に残った位置決め棒６を引き抜いてそのねじ締結部６０１にねじ６０５を締結する。この場合も、ねじ６０５を締結するねじ締結部６０１の周囲にある２つのねじ締結部６０１，６０１にはすでにねじ６０５，６０５が締結されて固定されているので、歯車収納体６００がねじの締結方向（時計回り）に回転したりすることがない。従って、歯車収納体６００は、歯車収納体６００内に組付けられた出力側歯車１５１と軸１３０側に設けられた従動歯車１４０との間に適正なバックラッシュが設けられる状態に正確に組付けられるので、歯車の回転がスムーズで、可動体としての傘状回転体１０９の動きがスムーズとなる可変入賞装置１００が得られる。
【０００８】
尚、組合せ体２００（一方の遊技部品構成体）の軸受孔の中心と軸保持体３００（他方の遊技部品構成体）の軸受孔の中心とが一致するように両者をねじ止めする場合において、ねじ締結部２０１が３つ以上あれば、位置決め棒６を用いて上記と同様な方法で組付ければ、軸保持体３００がねじの締結方向（時計回り）に回転したりすることがないので、この場合でも、軸保持体３００に設けられた軸受孔の中心と組合せ体２００に設けられた軸受孔の中心とが同一軸上で一致した状態に両者を組み合わせることができ、よって、軸１２０，１３０の回転がスムーズとなり、可動体としての羽根１０２や傘状回転体１０９の動きがスムーズとなる可変入賞装置が得られる。
【０００９】
また、上述したような組立装置１で歯車収納体６００を挟み付けて固定して組付けると、歯車収納体６００内に組付けられた出力側歯車１５１と従動歯車１４０との間に適正なバックラッシュが設けられる状態に組付けることはできなかったり、また、歯車収納体６００のように外径形状が複雑な形状の場合、あるいは、軸保持体３００の外径形状が複雑な場合には、挟み部５５，５５の形状も複雑にしなければならず、形状が違う部品毎に挟み部の違う装置を用意しなければならない。一方、実施形態のように位置決め棒６を用いて組付ける方法によれば、複雑な形状の歯車収納体であっても簡単に出力側歯車１５１と軸１３０側の従動歯車１４０との間に適正なバックラッシュが設けられる状態に歯車収納体６００を組付けることができ、また、複雑な形状の軸保持体であっても、軸保持体に設けられた軸受孔の中心と組合せ体２００に設けられた軸受孔の中心とが同一軸上で一致した状態に両者を組み合わせることができる。
【図面の簡単な説明】
【図１】本発明の実施形態による遊技部品の組立装置を示す斜視図。
【図２】組立装置による組立方法を示す図であり、（ａ）は第１位置決め固定部に位置決めされた組合せ体の上に軸保持体を搭載した状態を示す図、（ｂ）は軸保持体を挟み付けてねじを締結する状態を示す図。
【図３】組立装置で軸保持体を挟み付けた状態を示す図であり、（ａ）は平面図、（ｂ）はねじを締結した後の状態を示す（ａ）のＡ−Ａ断面図。
【図４】歯車収納体の組付方法を示す図であり、（ａ）は軸保持体の上に歯車収納体を搭載した状態を示す図、（ｂ）は（ａ）の平面図。
【図５】図４（ｂ）のＡ−Ａ断面図において、歯車収納体の組付方法を説明する図。
【図６】遊技部品としての可変入賞装置の斜視図。
【図７】可変入賞装置の正面図。
【図８】軸保持体の取付け態様を示す斜視図。
【図９】軸受部の位置を示す要部斜視図。
【図１０】歯車収納体の取付け態様を示す斜視図。
【符号の説明】
６　位置決め棒、１００　可変入賞装置（遊技部品）、
１４０　軸側の従動歯車、１５１　出力側歯車、
１２１，１３１，３０１，３０２　軸受部、
１２１ａ，１３１ａ，３０１ａ，３０２ａ　軸受孔、
２００　組合せ体、３００　軸保持体、６００　歯車収納体、
６０１　ねじ締結部、６０３　螺着孔、６０４　取付孔、６０５　ねじ。
【図１】
2004081322.tif 000003
【図２】
2004081322.tif 000004
【図３】
2004081322.tif 000005
【図４】
2004081322.tif 000006
【図５】
2004081322.tif 000007
【図６】
2004081322.tif 000008
【図７】
2004081322.tif 000009
【図８】
2004081322.tif 000010
【図９】
2004081322.tif 000011
【図１０】
2004081322.tif 000012